(57)【要約】【課題】運動機能性を落とさず、かつ首回りからの冷気の侵入を防止し、暖かく保温性の高い上着を提供する。【解決手段】襟部に立毛を含むフリース生地が取り付けられた上着であって、立毛を含むフリース生地(1)は、立毛部(2)と立毛がない部分とを有し、前記立毛がない部分は溝線(3)状であり、立毛を構成する繊維の長さは２〜８ｍｍ、立毛を構成する繊維の繊度は０．１〜２decitexである。溝線(3)の溝幅は２〜１０ｍｍの範囲が好ましく、立毛を含むフリース生地の単位面積を１００％としたとき、前記立毛がない部分の面積は２０〜６０％の範囲であるのが好ましい。【選択図】図１
2018111898.tif 000002
【特許請求の範囲】
【請求項１】
襟部に立毛を含むフリース生地が取り付けられた上着であって、前記立毛を含むフリース生地は、立毛部と立毛がない部分とを有し、前記立毛がない部分は溝線状であり、前記立毛を構成する繊維の長さは２〜８ｍｍ、立毛を構成する繊維の繊度は０．１〜２decitexであることを特徴とする上着。
【請求項２】
前記立毛がない部分の溝幅は２〜１０ｍｍの範囲である請求項１に記載の上着。
【請求項３】
前記立毛を含むフリース生地の単位面積を１００％としたとき、前記立毛がない部分の面積は２０〜６０％の範囲である請求項１又は２に記載の上着。
【請求項４】
前記立毛がない部分の形状は、波線、ジグザグ線、凹凸線、曲線、直線及びイナズマ線から選ばれる少なくとも一つの溝線状である請求項１〜３のいずれかに記載の上着。
【請求項５】
前記立毛がない部分は、あらかじめ表糸を飛ばして編み立て、起毛機で起毛加工がかからないように形成されている請求項１〜４のいずれかに記載の上着。
【請求項６】
前記立毛がない部分は、立毛が刈り込まれて形成されている請求項１〜５のいずれかに記載の上着。
【請求項７】
前記フリース生地は、襟部と連続して背中上部乃至肩甲骨間上部に配置する請求項１〜６のいずれかに記載の上着。
【請求項８】
前記上着は、スポーツ用ジャンパー又はスポーツ用コートである請求項１〜７のいずれかに記載の上着。
【発明の詳細な説明】
【技術分野】
【０００１】
本発明は、保温性の高い上着に関する。
【背景技術】
【０００２】
冬期に着用するジャンパー、コートなどの上着には、中入綿や羽毛などの詰め物を充填したタイプのものが暖かくて好適である。従来から背中部全体を嵩高くしたり、保温当布をあてて背中部分を暖かくする提案がある。特許文献１には後見頃にメッシュ基材と保温パックを配置し、メッシュ基材から汗や蒸気を抜くことにより、上半身に過剰の熱がたまらない衣服が提案されている。また本出願人は特許文献２において、肩甲骨間の背骨に沿う位置に保温剤を配置することを提案している。
【先行技術文献】
【特許文献】
【０００３】
【特許文献１】特開２０１６−０９８４４６号公報
【特許文献２】特開２０１０−１５９５２４号公報
【発明の概要】
【発明が解決しようとする課題】
【０００４】
しかし、前記特許文献１の提案は、メッシュ部を含む首回りから冷気が入り込み、冷えを感ずるという問題がある。また特許文献２の提案は、首周りから冷気入り込み、冷えを感ずるという問題がある。また、詰め物をするため、反発性が高く、曲がりにくいため、全ての人体形状に沿わず、隙間がさらに発生し、熱が逃げ、保温性が低下することもある。
【０００５】
本発明は、前記従来の問題を解決するため、運動機能性を落とさず、かつ首回りからの冷気の侵入を防止し、暖かく保温性の高い上着を提供する。
【課題を解決するための手段】
【０００６】
本発明の上着は、襟部に立毛を含むフリース生地が取り付けられた上着であって、前記立毛を含むフリース生地は、立毛部と立毛がない部分とを有し、前記立毛がない部分は溝線状であり、前記立毛を構成する繊維の長さは２〜８ｍｍ、立毛を構成する繊維の繊度は０．１〜３decitexであることを特徴とする。
【発明の効果】
【０００７】
本発明の上着は、襟部に特定の立毛を有するフリース生地を取り付けたことにより、立毛の反発性があり、フィット感もあり、運動機能性を落とさず、かつ首回りからの冷気の侵入を防止し、暖かく保温性を高めることができる。すなわち、立毛部の立毛は溝線状の立毛がない部分を覆うことにより、立毛は反発性を有し、フィット感もあり、空気だまりが多くなり、暖かく、かつ立毛部の嵩高性が維持されて保温性を高めることができる。また、立毛の密度は見かけ上低くなるのでかさばらず、運動機能を高く維持できる。
【図面の簡単な説明】
【０００８】
【図１】図１Ａは本発明の一実施形態における襟部に使用するフリース生地の部分正面図、図１Ｂは図１ＡのＩ―Ｉ断面図である。
【図２】図２は本発明の一実施形態の上着の部分正面図である。
【図３】図３は本発明の別の実施形態の上着の部分正面図である。
【図４】図４は本発明のさらに別の実施形態の上着の部分正面図である。
【図５】図５は従来の上着の部分正面図である。
【図６】図６は人体の上半身の背面図である。
【発明を実施するための形態】
【０００９】
本発明は、襟部に立毛を含むフリース生地が取り付けられた上着である。前記立毛を含むフリース生地は、立毛部と立毛がない部分とを有し、前記立毛がない部分は溝線状であり、前記立毛を構成する繊維の長さは２〜８ｍｍであり、好ましくは３〜７ｍｍである。立毛を構成する繊維の繊度は０．１〜３decitexであり、好ましくは０．３〜１．８decitexである。立毛部の立毛は溝線状の立毛がない部分を覆うことにより、嵩高性がありながら、反発性が低く、フィット感もあり、頚部から肩甲骨間で衣服と人体の隙間が無くなることで、地面と垂直方向に動く温かい空気を衣服外に逃げるのを抑え、保温性を高める。また、溝線状の立毛がない部分の存在により、縦方向、横方向に対する曲げ剛性が低く、着用し、人体が動いた時も、フリース生地が追随しながらもフィットし、衣服と人体の隙間が発生しないことで、保温性を高める。加えて、立毛の密度は見かけ上低くなるのでかさばらず、運動機能を高く維持できる。
【００１０】
前記立毛がない部分の溝幅は２〜１０ｍｍの範囲が好ましく、さらに好ましくは３〜８ｍｍの範囲である。これにより、効率よく空気だまりを作り、立毛のへたりを防止でき、立毛は反発性を有するようになる。
【００１１】
前記立毛を含むフリース生地の単位面積を１００％としたとき、前記立毛がない部分の面積は２０〜６０％の範囲が好ましく、さらに好ましくは３０〜５０％の範囲である。これにより、さらに効率よく空気だまりを作り、立毛のへたりを防止できる。また、曲げ剛性を低くなることで、追従性が高まる。
【００１２】
前記立毛がない部分の形状は、波線、ジグザグ線、凹凸線、曲線、直線及びイナズマ線から選ばれる少なくとも一つの溝線状であるのが好ましい。これらの形状であればさらに効率よく空気だまりを作り、立毛のへたりを防止できるうえ、効率的に作成できる。特にジグザグ線の場合、タテ方向、横方向、斜め方向の全ての方向に対して曲げ剛性が低くなることが期待でき、かつ、生地表面上に直線の隙間が出来にくく、保温性を高める生地として適している。
【００１３】
前記立毛のない部分は、表糸を飛ばして編み立て、裏糸のみで構成し、起毛機で起毛加工がかからないようにしている。また、生地全体を立毛させた後で、立毛が刈り込まれて形成されていてもよい。
【００１４】
前記フリース生地は、襟部と連続して背中上部乃至肩甲骨間上部にも配置するのが好ましい。このようにすると、背中上部乃至肩甲骨間上部からの冷気の侵入を防止できる。図６は人体の上半身の背面部１４である。図６中のドット部は身体表面が凹になっている部分である。首周り、背部上部が凹部１５になっており、この凹部１５の空隙を埋めるようにフリース生地を配置することが好ましい。
【００１５】
前記フリース生地は、生地表側をループパイルにして編みたて、そのループ部を起毛機でカットし起毛させる。起毛のない部分は、表糸を飛ばして編み立て、裏糸のみで構成されており、起毛機で起毛加工がかからないようにしている。得られたフリース生地は反物シートであり、この反物シートから所定形状にカットし、周囲を縫製して襟部とする。立毛部がポリエステル繊維であり、かつ立毛繊維の長さが２〜８ｍｍ、立毛繊維の繊度が０．１〜２decitexであると、汗をかいて濡れても乾きやすく、スポーツ用上着に好適である。
【００１６】
前記上着は、冬期のスポーツ用ジャンパー、スポーツ用コートに有用である。本発明の上着は、中入れ綿構造でもよいし、中入れ綿のない構造でもよい。中入れ綿構造とする場合は、ポリエステル繊維綿、アクリル系繊維綿、コットン綿、ウール綿、羽毛などを充填するのが好ましい。この中でも発汗により吸湿したときに嵩高性が低下する高架橋アクリル系繊維綿が好ましい。嵩高性が低下すると、この部分の空気の流通性が良くなり、衣服内気温を下げることができる。このような繊維として、ミズノ社製“ブレスサーモ”という商品がある。
【００１７】
本発明の上着は、冬期のスポーツ用ジャンパー又はスポーツ用コートに好適である。具体的には、登山、トレッキング、ハイキング、スキー、スノーボード、スケート、野球、ゴルフ、ホッケー、サッカー、ジョギング、マラソン、テニス、バドミントン、スカッシュ、卓球などあらゆるスポーツに好適である。スポーツ以外でも一般の上着としても有用である。
【００１８】
以下図面を用いて説明する。以下の図面において同一符号は同一物を示す。図１Ａは本発明の一実施形態における襟部に使用するフリース生地の部分正面図である。図１Ｂは図１ＡのＩ―Ｉ断面図である。図１Ａ−Ｂにおいて、フリース生地１には立毛部２と波状の溝線部３があり、立毛部２の幅は１０ｍｍ、溝線部３の幅は４ｍｍ、立毛部２の立毛長さは５ｍｍとしている。４は編地又は織地からなるベース生地である。立毛部２の繊維素材はポリエステル(PET)であり、繊度は例えば０．６decitexである。
【００１９】
図２は本発明の一実施形態の上着の部分正面図である。両袖部分は省略している。この上着１０は、表地５と裏地６と襟部のフリース生地１を含み、襟部のフリース生地１は襟部のみを覆っている。
【００２０】
図３は本発明の別の実施形態の上着の部分正面図である。この上着１１は、表地５と裏地６と襟部のフリース生地１を含み、襟部のフリース生地１と連続して背中上部にフリース生地７が配置されている。それ以外は上着１０と同様である。
【００２１】
図４は本発明のさらに別の実施形態の上着の部分正面図である。この上着１２は、表地５と裏地６と襟部のフリース生地１を含み、襟部のフリース生地１と連続して肩甲骨間上部にフリース生地８が配置されている。それ以外は上着１０と同様である。
【００２２】
図５は従来の上着の部分正面図である。この上着１３は、表地５と裏地６からなり、襟部９は表地５と同一生地としている。それ以外は上着１０と同様である。
【実施例】
【００２３】
以下、本発明の実施例について説明するが、本発明はこれらに限定されるものではない。なお、下記の実施例において重さを表す％は「重量％」を意味する。
【００２４】
＜衣服内保温性の測定方法＞
等身大の人体模型（サーマルマネキン）に衣服を着せて０．５時間経過後の消費電力、マネキン表面の温度、環境温度を測定することにより、ｃｌｏ（クロー）値として算出した。１ｃｌｏとは、気温２１．２℃、相対湿度５０％、風速１０ｃｍ／秒の大気中で、椅子に腰かけて安静にしている成人男子が、平均皮膚温３３℃の快適な状態を継続できるのに必要な衣服の熱抵抗と定義されている(ASHRAE:American Society of Heating Refrigerating and Air-conditioning Engineers)。
＜着用感、フィット感＞
スポーツ愛好家の成人男子１０名に着用してもらい、着用感と襟部のフィット感について官能評価をした。評価基準は次のとおりである。
１：大変悪い
２：悪い
３：普通
４：良い
５：大変良い
【００２５】
（実施例１）
＜表地＞
ポリエステル(PET)１００％の織物を使用した。この織物は、タテ糸：83.3decitex(75denier)／72fの加工糸を使用し、２０６本／インチとし、ヨコ糸：166.7decitex(150denier)／144fの加工糸を使用し、１２４本／インチとし、目付け１１５ｇ／ｍ2であった。
＜裏地＞
ポリエステル(PET)１００％のトリコット編物、２８ゲージ品、44decitex(40denier)/24f加工糸使用、目付け１１５ｇ／ｍ2であった。
＜襟部のフリース生地＞
ポリエステル（ＰＥＴ）１００％のトリコット編物、２８ゲージ品、起毛部分は166.7decitex(150denier)/288f加工糸、ベース生地部分は83.3decitex(75denier)/36f加工糸を使用し、目付け２８０ｇ／ｍ2であった。フリース状にするために、生地表側をループパイルにして編みたて、そのループ部を起毛機でカットし起毛させる。動きやすさを付与するための起毛のない部分は表糸を飛ばして編みたて、裏糸のみで構成されている。立毛部２の幅は１０ｍｍ、溝線部３の幅は４ｍｍ、立毛部２の立毛長さは５ｍｍ、繊度は０．６decitexであった。
＜上着とその評価＞
以上の生地を用いて図２に示す上着を縫製した。この上着１０は、表地５と裏地６と襟部のフリース生地１を含み、襟部のフリース生地１は襟部のみを覆っている。身頃部全体には軽い目付けの中綿が充填されている。この上着１０は、男性用Ｌサイズで、全体の重量は０．５６ｋｇである。この上着の衣服内温度を測定したところ表１に示す保温性が得られた。すなわち、本実施例の上着は、襟部にフリース生地がない上着（比較例）に比較してｃｌｏ値が４３．６％高いことが確認できた。
また、本実施例の上着は、立毛の反発性があり、フィット感もあり、襟部のフリース生地がない上着（比較例）に比較して、運動機能性も格段に高かった。
【００２６】
（実施例２）
図３に示すように、前記フリース生地を襟部と連続して背中中央の上部に身丈方向５ｃｍ、身幅１３ｃｍに配置した以外は実施例１と同様とした。
【００２７】
（実施例３）
図４に示すように、前記フリース生地は、襟部と連続して肩甲骨間上部に身丈方向１０ｃｍ、身幅１３ｃｍに配置した以外は実施例１と同様とした。
【００２８】
（比較例１）
図５に示すように、襟部には前記フリース生地を配置しなかった以外は実施例１と同様とした。以上の結果をまとめて表１に示す。
【００２９】
【表１】
2018111898.tif 000003
【００３０】
表１から明らかなとおり、実施例１〜３の上着は保温性が高かった。また、着用試験をしたところ、立毛の反発性があり着用感も良好でフィット感もあり、運動機能性を落とさず、かつ首回りからの冷気の侵入を防止し、暖かく保温性も良く、着心地も良好であった。
【００３１】
（実施例４、比較例２〜３）
実施例１〜３に用いたフリース生地を実施例４とし、実施例４と、生地全面に立毛した生地（比較例２：従来例）と、保温部材として一般的に使用される樹脂綿中綿（比較例３：従来例）の曲げ剛性と圧縮仕事量を５回測定し、平均値を算出した。
比較例２の立毛生地は、ポリエステル(PET)繊維からなり、繊度７５decitexの繊維を７ｍｍの長さに立毛したもので、目付けは１２０ｇ／ｍ2であった。
比較例３の樹脂綿中綿は、ポリエステル(PET)繊維からなり、繊維長５１ｍｍ、繊度が１decitex（中綿を１００％としたとき、４０％）、３．３decitex（同、３０％）、６．７decitex（同、３０％）の混繊のウエブに酢酸ビニル系バインダーを１ｍ2あたり乾燥重量で８ｇ付着させたものを使用した。目付けは１２０ｇ／ｍ2であった。
曲げ剛性［ｇｆ・ｃｍ／ｃｍ2］は、カトーテック株式会社製曲げ剛性試験機（ＫＥＳ−ＦＢ２）を用い、２０ｃｍ×２０ｃｍの試料を１ｃｍ間隔でチャックして、曲率−２．５〜＋２．５ｃｍ−１の範囲で、０．５０ｃｍ-1の変形速度で純曲げ試験にて求めた。
圧縮仕事量［ｇｆ・ｃｍ／ｃｍ2］は、カトーテック株式会社製自動圧縮試験機（ＫＥＳ−Ｇ５）を用い、２ｃｍ2の円形試料を０．０２ｃｍ／ｓｅｃの荷重速度で圧縮試験にて求めた。
以上の結果をまとめて表２に示す。
【００３２】
【表２】
2018111898.tif 000004
【００３３】
表２に示すとおり、実施例４のフリース生地は比較例２〜３に比べて曲げ剛性が低い。また圧縮仕事量は大きく、反発性が抑えられていることがわかる。これにより、立毛の反発性があり、フィット感もあり、運動機能性を落とさず、かつ首回りからの冷気の侵入を防止し、暖かく保温性を高めることが確認できた。
【産業上の利用可能性】
【００３４】
本発明の上着は、登山、トレッキング、ハイキング、スキー、スノーボード、スケート、野球、ゴルフ、ホッケー、サッカー、ジョギング、マラソン、テニス、バドミントン、スカッシュ、卓球などあらゆるスポーツに好適であるほか、一般の上着としても有用である。
【符号の説明】
【００３５】
１，７，８  フリース生地
２  立毛部
３  溝線部
４  ベース生地
５  表地
６  裏地
９  襟部
１０〜１３  上着
１４  人体の上半身の背面部
１５  身体背部表面の凹部
【図１】
2018111898.tif 000005
【図２】
2018111898.tif 000006
【図３】
2018111898.tif 000007
【図４】
2018111898.tif 000008
【図５】
2018111898.tif 000009
【図６】
2018111898.tif 000010